【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
コンピュータ装置が、第２のゲーム運営者ではなく第１のゲーム運営者に関連する第１の賭けをプレーヤがそこから行える第１のアカウントを確立するステップと、
前記コンピュータ装置が、前記プロセッサが、前記第１のゲーム運営者ではなく前記第２のゲーム運営者に関連する第２の賭けを前記プレーヤがそこから行える第２のアカウントを確立するステップと、
前記コンピュータ装置が、前記第１のアカウントの残高を明らかにする情報を前記プレーヤに提示するステップと、
前記コンピュータ装置が、前記残高の少なくとも一部が前記第２のアカウントに振替可能であるとする指示を前記プレーヤから受け取るステップと、
前記少なくとも一部が振替可能であるとする前記指示に応答し、前記コンピュータ装置が、前記少なくとも一部が振替に関して事前に許可されていることを明らかにする情報を記憶するステップと、
前記コンピュータ装置が、前記第１のアカウントと前記第２のアカウントとの間の振替を前記プレーヤが要求できるユーザインターフェイスを前記プレーヤに提示するステップと、
前記コンピュータ装置が、前記第１のアカウントから前記第２のアカウントに第１の金額を振り替えるための要求を受け取るステップと、
前記振り替えるための要求を受け取ることに応答し、前記コンピュータ装置が、前記第１の金額が前記少なくとも一部以下であるか否かを判定するステップと、
前記第１の金額が前記少なくとも一部以下だと判定したことに応答し、前記コンピュータ装置が、前記第１のアカウントから前記第２のアカウントに前記第１の金額を振り替えるステップを含む、
方法。
【請求項２】
前記第１のゲーム運営者に関連する賭けは、前記第１のゲーム運営者がいくらかの金を支払われる賭け、前記第１のゲーム運営者を相手に行われる賭け、および前記第１のゲーム運営者の所有地上で前記第１のゲーム運営者によって許可される賭けのうちの少なくとも１つを含む、請求項１に記載の方法。
【請求項３】
前記第１のアカウントに対する第１の預け入れを前記プレーヤから受け取り、前記第１の預け入れを受け取ったことに応答して前記第１の預け入れを含めるために前記第１のアカウントの残高を調節し、第２の預け入れを前記プレーヤから受け取り、前記第２の預け入れを受け取ったことに応答して前記第２の預け入れを含めるために前記第２のアカウントの残高を調節するステップを含む、請求項１に記載の方法。
【請求項４】
前記第２のアカウントを使用して賭けを行うことを容易にするステップを含む、請求項１に記載の方法。
【請求項５】
前記賭けの結果を決定し、前記結果に応じて前記第２のアカウントの残高を調節するステップを含む、請求項４に記載の方法。
【請求項６】
前記第１の金額を振り替えるための前記要求を受け取る前に、かつ前記少なくとも一部が振替について事前許可されていることを明らかにする前記情報を記憶した後、前記第１のアカウントを使用して行われた複数の賭けの結果を決定するステップと、
前記結果に応じて前記第１のアカウントの残高を調節するステップであって、前記少なくとも一部未満まで前記残高を減らすことを含むステップと
を含む、請求項１に記載の方法。
【請求項７】
前記結果に応じて前記第１のアカウントの前記残高を調節するステップに応答し、前記残高を上限とする金額だけが事前許可されていることを示すように前記記憶済み情報を調節するステップを含み、前記金額は前記残高以下である、
請求項６に記載の方法。
【請求項８】
前記第１の金額を振り替えるための前記要求を受け取り、前記結果に応じて前記第１のアカウントの前記残高を調節する前に、前記第１のアカウントを使用して行われた第２の複数の賭けの第２の結果を決定するステップと、
前記第２の結果に応じて前記第１のアカウントの前記残高を調節するステップであって、前記少なくとも一部より上まで前記残高を増やすことを含む、ステップと
を含む、請求項６に記載の方法。
【請求項９】
前記第２の結果に応じて前記第１のアカウントの前記残高を調節するステップに応答し、前記少なくとも一部以下の金額を振り替えられるようにするステップ
を含む、請求項８に記載の方法。
【請求項１０】
前記少なくとも一部が限られた期間にわたって事前許可される、請求項１に記載の方法。
【請求項１１】
第３のゲーム運営者に関連する第３の賭けを前記プレーヤがそこから行える第３のアカウントを確立するステップ
を含む、請求項１に記載の方法。
【請求項１２】
前記残高の少なくとも一部が振替可能であるとする前記指示は、前記第２のアカウントにのみ前記振替可能であることを明らかにし、前記ユーザインターフェイスは、前記第１のアカウントから前記第２のアカウントにしか振替を可能にしない、請求項１１に記載の方法。
【請求項１３】
前記第１のゲーム運営者は第１のカジノを含み、前記第２のゲーム運営者は第２のカジノを含む、請求項１に記載の方法。
【請求項１４】
前記振り替えるための要求は、前記賭けの時点において前記第２のアカウントの残高を超える金額についての賭けを含む、請求項１に記載の方法。
【請求項１５】
前記コンピュータ装置が、前記プレーヤの第１の位置を求め、前記第１の位置に基づき、前記第２のアカウントではなく前記第１のアカウントを用いた賭けを容易にするステップと、
前記コンピュータ装置が、前記プレーヤの第２の位置を求め、前記第２の位置に基づき、前記第２のアカウントを用いた賭けを容易にするステップと
を含む、請求項１に記載の方法。
【請求項１６】
前記コンピュータ装置が、前記プレーヤがそれを介してゲームサービスにアクセスする第１のネットワークを求め、前記第１のネットワークに基づき、前記第２のアカウントではなく前記第１のアカウントを用いた賭けを容易にするステップと、
前記コンピュータ装置が、前記プレーヤがそれを介して前記ゲームサービスにアクセスする第２のネットワークを求め、前記第２のネットワークに基づき、前記第２のアカウントを用いた賭けを容易にするステップと
を含む、請求項１に記載の方法。
【請求項１７】
前記コンピュータ装置が、ゲームサービスにアクセスするために前記プレーヤが使用する第１のログインを求め、前記第１のログインに基づき、前記第２のアカウントではなく前記第１のアカウントを用いた賭けを容易にするステップと、
前記コンピュータ装置が、前記ゲームサービスにアクセスするために前記プレーヤが使用する第２のログインを求め、前記第２のログインに基づき、前記第２のアカウントを用いた賭けを容易にするステップと
を含む、請求項１に記載の方法。
【請求項１８】
前記コンピュータ装置が、前記第１のログインに基づいて前記第１のアカウントからの前記事前許可を可能にするステップと、
前記コンピュータ装置が、前記第１のログインに基づいて前記第２のアカウントからの事前許可を防ぐステップと、
前記コンピュータ装置が、前記第２のログインに基づいて前記第２のアカウントへの振替を可能にするステップであって、前記第１のログインと前記第２のログインの両方が前記プレーヤに対する登録されたログインであるステップと、
を含む、請求項１７に記載の方法。
【請求項１９】
前記コンピュータ装置が、システムにアクセスするために前記プレーヤによって第３のログインが使用されたと判定するステップと、
前記コンピュータ装置が、前記第３のログインに基づいて前記第１のアカウントを用いた賭けを防ぐステップと、
前記コンピュータ装置が、前記第３のログインに基づいて前記第２のアカウントを用いた賭けを防ぐステップと、
前記コンピュータ装置が、前記第３のログインに基づいて前記第１のアカウントおよび前記第２のアカウントの両方への振替および前記両方からの事前許可を可能にするステップであって、前記第１のログイン、前記第２のログイン、及び前記第３のログインの全てが前記プレーヤに対する登録されたログインであるステップと、
を含む、請求項１７に記載の方法。
【請求項２０】
計算装置と、
複数の命令をその上に記憶している非一時的媒体であって、前記命令は前記計算装置によって実行されるとき、
プレーヤの第１の位置を求め、
前記機器によって前記プレーヤのために維持され、第２のゲーム運営者に関連する賭けではなく前記第１の位置において運営する第１のゲーム運営者に関連する賭けを行うために前記プレーヤによってアクセスされ得る第１のアカウントを特定し、
前記第１のアカウントを特定することに応答し、前記第１のアカウント内の金を使って前記プレーヤが前記第１のゲーム運営者に関連する賭けを行えるようにし、
前記第１のアカウントから、前記プレーヤによって所有され前記機器によって維持される１組のアカウントへの、合計して第１の金額になる１つまたは複数の将来の振替を承認するための第１の要求を受け取り、
前記第１の要求を受け取った後、前記プレーヤ用の第２のアカウントを確立するための第２の要求を受け取り、
前記第１のゲーム運営者に関連する賭けではなく第２の位置において運営する前記第２のゲーム運営者に関連する賭けを行うために前記プレーヤによってアクセスされ得る前記第２のアカウントを確立し、賭けは前記第１の位置と前記第２の位置の両方で許可されており、
前記第２のアカウントを確立した後、前記第１のアカウントから前記第２のアカウントに第２の金額を振り替えるための第３の要求を受け取り、
前記第２の金額が前記第１の金額以下だと判定し、
前記第２の金額が前記第１の金額以下だと判定することに応答し、前記第１のアカウントから前記第２のアカウントへの前記第２の金額の振替を助け、
前記プレーヤが前記第２の位置にいることを決定し、
前記プレーヤが前記第２の位置にいることを決定したことに応答し、前記第２のアカウント内の金を使って前記プレーヤが前記第２のゲーム運営者に関連する賭けを行えるようにし、前記第１のアカウント内の金を使って前記プレーヤが前記第１のゲーム運営者に関連する賭けを行うことを禁止すること、
を前記機器に行わせる、非一時的媒体と
を含む、機器。